(57)【特許請求の範囲】
【請求項１】
内部に塗布剤を収容し、上部に備えられたステム部から該塗布剤を噴出するエアゾール容器と、
利用者の頭部に当接して頭部をマッサージするための複数のマッサージ用突出部と、該マッサージ用突出部より短く形成され、前記ステム部から送入された塗布剤を内部に形成された流路を通じて先端の吐出口から外部に吐出し、頭部に塗布する複数の塗布用突出部と、が平板状の本体表面に立設され、該本体がステム部の作動方向とは直交するように、前記エアゾール容器のステム部に嵌合されたステムアタッチメントと、
を備えたエアゾール製品において、
前記ステムアタッチメントの前記複数のマッサージ用突出部は、その本体表面からの高さが、その本体表面の中央より端方向に従って連続的に高くなるように配列され、
前記ステムアタッチメントの本体表面には、前記複数の塗布用突出部として、異なる噴射方式で吐出口より塗布剤を吐出する二種類の塗布用突出部が、当該本体表面の中心から外縁方向に向けて、交互に配列され、
前記塗布用突出部の夫々は、その先端が、前記複数のマッサージ用突出部の先端を結ぶ面から３ｍｍ〜１４ｍｍの範囲内に位置するように、形成されていること
を特徴とするエアゾール製品。
【請求項２】
前記ステムアタッチメントは、前記塗布用突出部の一種類として、単一の吐出口から塗布剤を直線状に吐出するジェット式突出部を備えていることを特徴とする請求項１に記載のエアゾール製品。
【請求項３】
前記ジェット式突出部は、先端が、前記複数のマッサージ用突出部の先端を結ぶ面から、３ｍｍ〜７ｍｍの範囲内に位置するように形成されていることを特徴とする請求項２に記載のエアゾール製品。
【請求項４】
前記ステムアタッチメントは、前記塗布用突出部の一種類として、複数の吐出口から塗布剤を分散して吐出するシャワー式突出部を備えていることを特徴とする請求項１〜請求項３のいずれかに記載のエアゾール製品。
【請求項５】
前記シャワー式突出部は、先端が、前記複数のマッサージ用突出部の先端を結ぶ面から、６ｍｍ〜１４ｍｍの範囲内に位置するように形成されていることを特徴とする請求項４に記載のエアゾール製品。
【請求項６】
前記ステムアタッチメントの本体表面には、前記二種類の塗布用突出部として、単一の吐出口から塗布剤を直線状に吐出するジェット式突出部と、複数の吐出口から塗布剤を分散して吐出するシャワー式突出部と、が立設されていることを特徴とする請求項１〜請求項５のいずれかに記載のエアゾール製品。
【請求項７】
前記複数の塗布用突出部は、前記ステムアタッチメントの本体表面に、該塗布用突出部の夫々が頭部へ吐出する塗布剤の塗布面積の逆数と同程度の密度で備えられていることを特徴とする請求項１〜請求項６のいずれかに記載のエアゾール製品。
【請求項８】
前記ステムアタッチメントは、ステム部の作動方向とは直交する方向の幅が、その方向のエアゾール容器の幅に対して、８０％〜１２０％の範囲内となるように形成されていることを特徴とする請求項１〜請求項７のいずれかに記載のエアゾール製品。
【発明の詳細な説明】
【０００１】
【発明の属する技術分野】
本発明は、塗布剤を頭部（頭皮）に吐出して塗布するエアゾール製品に関する。
【０００２】
【従来の技術】
従来より、エアゾール容器内部に、育毛剤、養毛剤などの塗布剤（以下、「薬剤」とする。）が収納され、エアゾール容器上部のステムに嵌合されたステムアタッチメントから、頭皮に薬剤を吐出して塗布すると共に、ステムアタッチメントに備え付けられた頭皮マッサージ用の突起にて頭皮をマッサージして、頭皮の育毛、養毛を実現するエアゾール製品が知られている。
【０００３】
例えば、特開平１０−２９６５８に記載のステムアタッチメントは、薬剤を吐出する吐出口を備えた管状突部を、ステムアタッチメント本体上面の中央部に備え、更に、頭皮マッサージ用の突部を、その管状突部の周囲に備えており、マッサージ用の突部が頭皮に押し当てられると、ステムを作動させてエアゾール容器内部からステムアタッチメント内部に薬剤を流入させ、ステムアタッチメント内部の流路を通じて吐出口から薬剤を吐出して、頭皮に塗布する。尚、この時、ステムアタッチメントは、マッサージ用の突起を振動させて、頭皮をマッサージし、頭皮の育毛を促進させる。
【０００４】
一方、実開平３−７０７６０に記載のエアゾール製品は、噴霧ヘッド部材の表面に分散して立設された複数の突起に塗布剤を噴霧する噴出口を備えており、塗布剤を、それらの噴出口から分散して吐出する。
【０００５】
【発明が解決しようとする課題】
しかしながら、上記従来技術においては、以下のような問題点があった。
まず、前者のステムアタッチメントには、薬剤を頭皮に吐出する管状突部が一つしか形成されていないことが問題となっていた。
【０００６】
つまり、このステムアタッチメントは、吐出口を一つしか備えていないから、薬剤を、その吐出口周辺の頭皮に集中して塗布してしまっていた。この結果、利用者は、上記ステムアタッチメントを用いて頭皮全体に一様に薬剤を塗布することが困難で、薬剤の育毛効果、養毛効果を十分に発揮させることができなかった。
【０００７】
一方、後者のエアゾール製品は、複数の噴出口を備えているため、薬剤を頭皮の一部に集中して塗布することなく、一様に塗布することができるが、頭皮へのマッサージ機能も有する噴出口を備えた突起が、同一の高さに備えられているため、突起を頭皮に一様に当接させることができず、効率よく頭皮をマッサージすることができなかった。
【０００８】
また、後者のエアゾール製品では、噴出口を備えた突起が、直接頭皮に当接されるため、一部の噴出口が頭皮にて閉塞されてしまい、薬剤が噴出口から吐出されにくいことも問題となっていた。
本発明は、このような問題に鑑みなされたものであり、塗布剤（薬剤）を頭皮全体に一様に塗布することができ、且つ、頭皮のマッサージを効果的に行うことができるエアゾール製品を提供することを目的とする。
【０００９】
【課題を解決するための手段】
かかる目的を達成するため、請求項１に記載のエアゾール製品は、内部に塗布剤を収容し、上部に備えられたステム部から、この塗布剤を噴出するエアゾール容器と、このエアゾール容器のステム部に嵌合されるステムアタッチメントと、を備えている。
【００１０】
そして、このステムアタッチメントは、ステム部の作動方向とは直交する方向に広がる平板状の本体表面に、利用者の頭部に当接して頭部をマッサージするための複数のマッサージ用突出部と、このマッサージ用突出部より短く形成され、ステム部から送入された塗布剤を内部に形成された流路を通じて先端の吐出口から外部に吐出し、頭部に塗布する複数の塗布用突出部と、が立設された構成にされている。
【００１１】
更に、本発明の特徴として、このステムアタッチメントの複数のマッサージ用突出部は、ステムアタッチメントの本体表面からの高さが、その本体表面の中央より端方向に従って連続的に高くなるように配列されている。
また、ステムアタッチメントの本体表面には、複数の塗布用突出部として、異なる噴射方式で吐出口より塗布剤を吐出する二種類の塗布用突出部が、当該本体表面の中心から外縁方向に向けて、交互に配列され、ステムアタッチメントの塗布用突出部の夫々は、その先端が、複数のマッサージ用突出部の先端を結ぶ面から３ｍｍ〜１４ｍｍの範囲内に、位置するように形成されている。つまり、ステムアタッチメントの塗布用突出部の先端は、マッサージ用突出部の先端を結ぶ面からの距離が、法線方向に沿って上記範囲内となる位置に、配置されている。
【００１２】
このような構成のエアゾール製品（請求項１）は、マッサージ用突出部が本体表面の中央より端方向に従って連続的に高くなるように配列されているので、このマッサージ用突出部を一様に頭部に当接させることができる。また更に、このようにして利用者によってマッサージ用突出部が頭部（頭皮）に当接された際に、塗布用突出部の先端（吐出口）は、頭部（頭皮）から３ｍｍ以上離れて配置され、頭皮によって吐出口が閉塞されることがないので、塗布用突出部は、塗布剤を、頭皮によって阻害されずに吐出することができる。また、塗布用突出部は、先端（吐出口）が、頭部（頭皮）から１４ｍｍ以内に配置されるので、塗布剤を、毛髪によって阻害されることなく、頭皮へ塗布することができる。
【００１３】
したがって、請求項１に記載のエアゾール製品によれば、利用者は、複数のマッサージ用突出部を頭部（頭皮）に一様を当接させて、頭部（頭皮）をマッサージしながら、複数の塗布用突出部から吐出される塗布剤を、簡単な操作で効率よく、頭皮に塗布することができる。
【００１４】
つまり、請求項１に記載のエアゾール製品は、頭部のマッサージにより、育毛、養毛を促進させつつ、頭部への塗布剤の塗布を好適に行うことができる。
特に、塗布剤が育毛剤、養毛剤等である場合、エアゾール製品（請求項１）は、育毛剤、養毛剤を頭部へ塗布することによる育毛、養毛効果を、頭部のマッサージにて一層向上させることができるので、便利である。
【００１５】
更に、請求項１に記載のエアゾール製品によれば、ステムアタッチメントが、異なる噴射方式で吐出口より塗布剤を吐出する二種類の上記塗布用突出部を本体表面に備える。したがって、このエアゾール製品によれば、夫々の噴射方式の利点を生かしつつ、頭皮の各部位に、塗布剤を、噴射方式に対応した異なる態様にて塗布することができる。
この他、このエアゾール製品によれば、二種類の塗布用突出部が、ステムアタッチメントの本体表面の中心から外縁方向に向けて、交互に配列されているので、各種類の塗布用突出部の利点を、より一層相乗的に発揮することができる。
【００１６】
尚、請求項１に記載のエアゾール製品において、ステムアタッチメントは、請求項２に記載のように、塗布用突出部の一種類として、単一の吐出口から塗布剤を直線状に吐出するジェット式突出部を備えているのがよい。
【００１７】
このようにステムアタッチメントがジェット式突出部を備えていると、エアゾール製品（請求項２）は、ジェット式突出部にて、塗布剤を、頭皮の一部に集中させて、頭皮の奥までしみ込むように塗布することできる。
また、ステムアタッチメントにジェット式突出部を形成する際には、請求項３に記載のように、ジェット式突出部の先端が、複数のマッサージ用突出部の先端を結ぶ面から、３ｍｍ〜７ｍｍの範囲内に位置するようにされているのがよい。
【００１８】
このようにすると、ジェット式突出部の先端が、頭皮から７ｍｍ以内に配置されるので、ジェット式突出部は、塗布剤を勢いよく頭皮に噴射して塗布することができ、この塗布の際に塗布剤の噴射力によって適度な刺激を頭皮に与えることができる。つまり、請求項３に記載のエアゾール製品は、頭皮へのマッサージ効果を高めることができて、育毛効果を向上させることができる。
【００１９】
一方、請求項１〜請求項３のいずれかに記載のエアゾール製品において、ステムアタッチメントは、請求項４に記載のように、塗布用突出部の一種類として、複数の吐出口から塗布剤を分散して吐出するシャワー式突出部を備えていることが好ましい。
【００２０】
このようにすると、エアゾール製品（請求項４）は、シャワー式突出部にて、塗布剤を広範囲に分散して、一様に塗布することができるため、利用者は、簡単に塗布剤を頭部（頭皮）全体に万遍なく塗布することができる。
尚、このようにステムアタッチメントにシャワー式突出部を立設させる場合、シャワー式突出部の先端は、請求項５に記載のように、複数のマッサージ用突出部の先端を結ぶ面から、６ｍｍ〜１４ｍｍの範囲内に位置するようにされているのが好ましい。
【００２１】
このようにすると、シャワー式突出部は、頭部（頭皮）から適度に離れた位置（即ち、頭皮から６ｍｍ以上離れた位置）から、塗布剤を吐出することができるので、塗布剤を、一様に分散させて、頭皮に塗布することができる。
また、請求項６に記載のように、複数の塗布用突出部は、上記ジェット式突出部及び上記シャワー式突出部によって構成することができる。
【００２２】
このようにすると、エアゾール製品（請求項６）は、塗布剤を、ジェット式突出部にて、頭皮の奥までしみ込むように塗布しつつ、シャワー式突出部にて、一様に万遍なく塗布することができる。
即ち、請求項６に記載のエアゾール製品は、ジェット式突出部の利点と、シャワー式突出部の利点を相乗的に発揮することができるため、利用者は、頭皮をマッサージしながら、塗布剤を、簡単で効率よく頭皮に一様に塗布することができる。
【００２３】
特に、このエアゾール製品のように、ジェット式突出部及びシャワー式突出部が、ステムアタッチメントの本体表面において、当該本体表面から外縁方向に、交互に配列されている場合には、ジェット式突出部の利点と、シャワー式突出部の利点とが、より一層相乗的に発揮される。
【００２４】
この他、請求項１〜請求項６のいずれかに記載のエアゾール製品において、複数の塗布用突出部は、請求項７に記載のように、ステムアタッチメントの本体表面に、その塗布用突出部の夫々が頭部へ吐出する塗布剤の塗布面積の逆数と同程度の密度で備えられているのが好ましい。
【００２５】
このようにすると、エアゾール製品は、塗布剤を、吐出口から数回吐出するだけで、エアゾール製品が当接している頭皮全体に塗布することができるため、利用者は、より一層簡単に塗布剤を頭皮に塗布することができる。
尚、塗布剤の塗布面積が、塗布用突出部の形状、噴射方式によって異なる場合には、それらの塗布面積の平均値と同程度の密度で、塗布用突出部を配置してもよいし、夫々の種類の塗布用突出部を、夫々の塗布面積と同程度の密度で配置してもよい。
【００２６】
また、請求項１〜請求項７のいずれかに記載のエアゾール製品において、ステムアタッチメントは、請求項８に記載のように、ステム部の作動方向とは直交する方向の幅が、その方向のエアゾール容器の幅に対して、８０％〜１２０％の範囲内となるように形成されているのがよい。
【００２７】
なぜなら、ステムアタッチメントが、エアゾール容器の幅に対して１２０％よりも大きいと、エアゾール製品は、取り付けられたステムアタッチメントの重みにより、上部が不安定になって、姿勢が安定せず、逆に、エアゾール容器の幅に対して８０％よりも小さいと、マッサージ用突出部及び塗布用突出部の立設可能な面積が小さくなり、利用者が塗布剤を効率よく頭部に塗布することができなくなるからである。
【００２８】
つまり、請求項８に記載のようにすれば、エアゾール製品を、安定して縦置きすることができ、一方で、利用者に塗布剤を効率よく頭部に塗布させることができる。
この他、請求項８に記載のエアゾール製品では、ステムアタッチメントがエアゾール容器に対して適度な大きさとなるため、ステムアタッチメントはエアゾール容器の軸に直交する方向に揺動しにくくなり、塗布剤の塗布の際に、ステムに過剰な負荷がかかるのを抑制することができる。また、ステムアタッチメントがエアゾール容器に対して適度な大きさであるから、エアゾール製品の保管、運搬等の際に、ステムアタッチメントが収納スペースを過剰にとることがなくて便利である。
【００２９】
また、以上に説明した請求項１〜請求項８のいずれかに記載のエアゾール製品に対しては、エアゾール容器から外されたステムアタッチメントのステム部の取付部分に対して、水密に嵌着可能な蓋体を設けることができる。
【００３０】
このように構成されたエアゾール製品によれば、利用者は、エアゾール容器からステムアタッチメントを取り外した際に、ステム部の取付部分に蓋体を取り付けて、この蓋体を備えたステムアタッチメントを、マッサージ器として、頭皮に押し当てて、頭部（頭皮）をマッサージすることができる。
【００３１】
しかも、蓋体は、ステムアタッチメントに対して水密に嵌着されるから、利用者は、ステムアタッチメントから、残った塗布剤が垂れ落ちてくる心配をすることなく、快適に頭皮をマッサージすることができる。
【００３２】
【発明の実施の形態】
以下に、本発明の実施例について、図面を示しつつ説明する。
図１は、本発明が適用されたエアゾール製品１の構成を表す概略斜視図である。また、図２は、エアゾール製品１のエアゾール容器１０と、ステムアタッチメント２０を分解して示した概略分解側面図であり、エアゾール製品１の側面部分に隠れた内側の構造の一部は、点線にて示されている。尚、図２において、後述のマッサージ用突出部３１，３１’、ジェット式突出部５１及びシャワー式突出部５３は、ステムアタッチメント２０の上面において、図１のＡ−Ａ’一点鎖線上に位置するものだけが示されている（後述の図７も同様）。
【００３３】
また、図３は、エアゾール製品１のＡ−Ａ’一点鎖線（図１）から長手方向に沿った概略断面図である。ただし、図３において、後述のマッサージ用突出部３１，３１’、ジェット式突出部５１、及びシャワー式突出部５３は、Ａ−Ａ’一点鎖線状に位置するものだけが示されている（図４（ａ）も同様）。
【００３４】
図１〜図３に示すように、エアゾール製品１は、内部に育毛剤、養毛剤等の薬剤１１が収容され、上部に薬剤１１を噴出するステム１３を備えたエアゾール容器１０と、ステム１３に固着され、ステム１３から流入してくる薬剤１１を、後述のジェット式突出部５１及びシャワー式突出部５３の先端に形成された吐出口５１ａ，５３ａから吐出するステムアタッチメント２０と、を備えている。
【００３５】
そして、このエアゾール容器１０及びステムアタッチメント２０から構成されるエアゾール製品１は、利用者によってステムアタッチメント２０が頭皮に押し当てられ、同時にステム１３がエアゾール容器１０の内部方向に作動されると、吐出口５１ａ，５３ａから薬剤１１を吐出して頭皮に薬剤１１を塗布すると共に、後述のマッサージ用突出部３１，３１’にて頭皮を押圧してマッサージする。
【００３６】
詳述すると、エアゾール容器１０は、周知の構成のプラスチック製（例えば、ポリエステル製）のエアゾール容器や、金属製エアゾール容器であり、上部がステム１３を適所に固着するマウンティングカップ１５で密閉され、且つ、底面が閉塞された略円筒状の容器本体の内部に、上述の薬剤１１の他、薬剤噴射用のガスを充填している。
【００３７】
そして、容器本体の上部のマウンティングカップ１５により固着された薬剤１１を噴出するためのステム１３は、管状部材が、容器本体の長手方向の中心軸上となる位置から、その長手方向に沿って上方に延設された構造となっており、利用者がステム１３を下方に作動させると、容器本体の内部に充填されたガスの圧力により、薬剤１１を噴射するようにされている。
【００３８】
また、このステム１３をエアゾール容器１０の中心軸上に配置するマウンティングカップ１５は、ステム１３、及び、このステム１３にエアゾール容器１０の内部で接続され薬剤１１をステム１３の作動と共に弁の開閉にてステム１３の先端から噴出させるバルブ１７（図３参照）、を適所に配置するために、バルブ１７が固定される位置（中央）と、容器本体の外縁との間に窪部１５ａが形成された概ね断面Ｗ字状の構造となっている。尚、図３において、バルブ１７の断面構造は周知のものであるので省略されている。
【００３９】
一方、エアゾール容器１０内部は、容器本体の内部に薬剤１１が充填された内袋１９を備え、容器本体の内面と内袋１９との間に上記噴射用のガスを備えた周知の構成とされている。このような構成のエアゾール容器１０は、利用者によってステム１３が作動されると、ガスによって内袋を圧縮して、薬剤１１を内袋からステム１３を介して外部に押し出す。尚、エアゾール容器１０内部は、これ以外の周知の構成として、容器本体の内面に薬剤腐食防止用の樹脂が被覆された構成で、この容器本体の内部に、薬剤１１及び薬剤噴射用のガスが両方とも、内袋を使用せずに直接充填されたものであってもよい。
【００４０】
次に、ステムアタッチメント２０は、後述のジェット式突出部５１及びシャワー式突出部５３から吐出される薬剤１１を頭皮に、一様に塗布すると共に、薬剤塗布の際に頭皮をマッサージして育毛、養毛効果を高めるために、具体的に以下に説明する構成（図１〜図５参照）となっている。尚、図４は、ステムアタッチメント２０の構成を表す説明図であり、図４（ａ）はステムアタッチメント２０を分解して表した概略分解断面図、図４（ｂ）は、ステムアタッチメント２０の概略上面図である。また、図５は、薬剤１１を夫々異なる噴射方式で吐出するジェット式突出部５１及びシャワー式突出部５３の構成を表した説明図である。
【００４１】
図３に示すように、ステムアタッチメント２０は、主に、円盤状で上面に頭皮をマッサージするためのマッサージ用突出部３１，３１’が形成されたアタッチメント上方部材３０と、アタッチメント上方部材３０の下方で固定され、上面に後述の溝部４３を備えると共に、下面にステム１３周囲に形成されたマウンティングカップの隆起部を包囲するステム取付部４１を備えたアタッチメント下方部材４０と、このアタッチメント下方部材４０の溝部４３に収容されるようにしてアタッチメント上方部材３０に固定され、上面に立設されたジェット式突出部５１及びシャワー式突出部５３の吐出口５１ａ，５３ａから薬剤１１を異なる噴射方式で吐出する塗布用突出部形成部材５０と、から構成されている。
【００４２】
即ち、ステムアタッチメント２０は、このアタッチメント上方部材３０、塗布用突出部形成部材５０、アタッチメント下方部材４０にて組み立てられることにより、上面に、マッサージ用突出部３１，３１’、ジェット式突出部５１及びシャワー式突出部５３が立設され、下面にステム取付部４１が立設され、本体内部が空洞２１にされた厚みを有する円盤状に構成されている。
【００４３】
詳述すると、このステムアタッチメント２０の上部を構成するアタッチメント上方部材３０には、下面の外縁側に、アタッチメント下方部材４０と係止される凸状係止部３３が立設されている。また、アタッチメント上方部材３０は、後述の塗布用突出部形成部材５０を、ジェット式突出部５１及びシャワー式突出部５３を下方から上方へ貫通させるようにして、固定するための貫通孔３５を、ジェット式突出部５１及びシャワー式突出部５３がステムアタッチメント２０の上面に立設される位置に、備えている。
【００４４】
そして、マッサージ用突出部３１，３１’は、このアタッチメント上方部材３０の上面（即ち、ステムアタッチメント２０の上面）に、中央（円盤の中心部）から端部方向に従って連続的に高くなるようにされて、表面より垂直方向に分散立設されており、その高さは、先端がアタッチメント上方部材３０の中央（円盤の中心部）から端部に向けて、半径が１００〜３００ｍｍの球面に接する位置に配置されるように、設定されている。
【００４５】
つまり、マッサージ用突出部３１，３１’は、ステムアタッチメント２０の中心軸上となる上部遠方に、上記半径の球が配置されていると仮定した場合において、その球面に対応する位置に先端が配置された構成にされている。
例えば本実施例において、このマッサージ用突出部３１，３１’は、図４（ｂ）に示すように、ステムアタッチメント２０の上面の中央から同心円状に同一高さのものが配列され、その中央を通るステムアタッチメント２０の上面に沿った線上（例えばＡ−Ａ’一点鎖線上）に位置するマッサージ用突出部３１，３１’は、図３に示すエアゾール製品１の断面図からも理解できるように、先端が上記半径の円弧上（点線Ｒ−Ｒ’）に位置するようにされている。
【００４６】
尚、この球面の半径は、一般的な利用者の頭部表面の曲率に合わせて、１５０〜２５０ｍｍに設定されるのが特に好ましく、エアゾール製品１をこのような構成とすれば、利用者は、ステムアタッチメント２０に分散立設されたマッサージ用突出部３１，３１’全体を利用者の頭皮に一様に当接させることができ、頭皮を効率よくマッサージすることができる。
【００４７】
ただし、マッサージ用突出部３１，３１’は、概ね上述の球面に先端が接する高さにて立設されていればよく、必ずしも先端が正確に球面に沿っていなければならないというものではない。なぜなら、頭部形状は利用者毎に異なるのに、正確に球面に沿って高さを設定しても、それによる効果が製造の煩雑さと似合わないからである。
【００４８】
また本実施例において、ステムアタッチメント２０の上面の最外周に位置するマッサージ用突出部３１’は、高さが８ｍｍから２０ｍｍに設定されている。これは、最外周のマッサージ用突出部３１’の高さが８ｍｍ未満であると、特に中央部のマッサージ用突出部３１が短くなりすぎて、頭皮を十分に刺激してマッサージすることができず、また一方で、２０ｍｍを越えると、マッサージ用突出部３１，３１’の櫛通りが悪くなることで操作性が悪くなり、更に、突出部分が長すぎることでマッサージ用突出部３１，３１’の先端にまで力が加わりにくくなって頭皮を十分に刺激できなくなり、マッサージ効果が薄らぐからである。尚、より効果的にマッサージを行うためには、マッサージ用突出部３１’の高さが、１０ｍｍ〜１５ｍｍに設定されているのが好ましい。このようにすると、エアゾール製品１は、一層のマッサージ効果をもたらすことができる。
【００４９】
この他、本実施例において、マッサージ用突出部３１，３１’は、その先端部が球状で丸みをもった構造にされており、利用者がマッサージ用突出部３１，３１’で頭皮を傷つけることなく、しっかりとマッサージすることができるようにされている。
【００５０】
一方、アタッチメント下方部材４０は、円盤状に形成され、上面に、アタッチメント上方部材３０によって閉塞されると上述の空洞２１を形成する凹状の溝部４３を備えている。また、このアタッチメント下方部材４０の下方の中央部（即ち、円盤の中心部）には、ステム１３上部に嵌合されると共に、このステム１３から噴射されて送りだされてくる薬剤１１を溝部４３（即ち、ステムアタッチメント２０内部の空洞２１）に導くための流入孔４５が形成されている。
【００５１】
更に、このアタッチメント下方部材４０は、アタッチメント下方部材４０の上面でありアタッチメント上方部材３０の凸状係止部３３に対応する位置に、その凸状係止部３３と嵌合する凹状係止部４７を備えており、凹状係止部４７がアタッチメント上方部材３０の凸状係止部３３に嵌合されると、アタッチメント上方部材３０と、その係止部３３，４７で水密に固着される。
【００５２】
次に、ステム取付部４１は、厚みを有する円筒状部材が、アタッチメント下方部材４０の下面の中央から、その下面とは直交する下方に向けて立設された構成にされており、アタッチメント下方部材４０の中央に位置する上述の流入孔４５と連通されている。また、ステム取付部４１は、この円筒状部材の内部に、螺子山を備えており、後述する蓋体６０が接続可能な構成にされている。
【００５３】
また、ステム取付部４１の外周には、エアゾール容器１０上部の窪部１５ａに摺動自在に嵌合してステムアタッチメント２０を支持する円筒状の本体支持部４２が、ステム取付部４１と所定間隔離れた位置に立設されており、これによって、ステムアタッチメント２０は、エアゾール容器１０に対して、ステム１３との取付方向とは垂直な方向となる左右方向に揺動しないようにされている。
【００５４】
次に、塗布用突出部形成部材５０は、アタッチメント下方部材４０の溝部４３に収納される円盤状の突出部本体５５の表面に対して垂直方向に、内部が管状に形成され、薬剤１１を直線状（ジェット状）に吐出する複数のジェット式突出部５１と、薬剤１１をシャワー状に吐出するシャワー式突出部５３とが、立設された構成にされている。
【００５５】
詳述すると、塗布用突出部形成部材５０は、図４（ｂ）に示すように、ジェット式突出部５１及びシャワー式突出部５３の内、同一種類のものが同心円上に配列されるように立設され、且つ、この異なる半径の複数の同心円上に配列されたジェット式突出部５１及びシャワー式突出部５３が、突出部本体５５の中央から外縁方向に向けて交互に配列された構成となっている。尚、図４（ｂ）では簡略して、シャワー式突出部５３の外周に、ジェット式突出部５１が配列されたステムアタッチメント２０上面の態様を示しているが、ステムアタッチメント２０は、更に外周に、シャワー式突出部５３が配列され、それより更に外周に、ジェット式突出部５１が配列された構成となっている。
【００５６】
また、本実施例において、ジェット式突出部５１及びシャワー式突出部５３は、ステムアタッチメント２０上面に１センチ平方メートル当たり少なくとも一つ備えられており、ジェット式突出部５１及びシャワー式突出部５３の夫々が頭部へ吐出する薬剤１１の塗布面積の平均値と同程度の密度で配置されている。尚、ここでいう塗布面積とは、ジェット式突出部５１、シャワー式突出部５３の夫々が一度に塗布する薬剤１１の頭部表面（頭皮）における面積のことである。
【００５７】
そして、このように構成された塗布用突出部形成部材５０は、ジェット式突出部５１及びシャワー式突出部５３の夫々が、対応するアタッチメント上方部材３０の貫通孔３５を下方から上方へ貫くようにして、アタッチメント上方部材３０の下側から固着されており、突出部本体５５の下面は、ステムアタッチメント２０内部の空洞２１と対向するようにされている。
【００５８】
また、貫通孔３５を貫通するようにしてステムアタッチメント２０の上面に突出されたジェット式突出部５１及びシャワー式突出部５３は、その先端が、マッサージ用突出部３１，３１’の先端を結んでできる面（即ち、上述の球面）から、ステムアタッチメント上面側で、その球面の法線に沿う方向に３ｍｍ〜１４ｍｍの範囲内に配置されるように、高さが設定されている。尚、以下では、マッサージ用突出部３１，３１’の先端を結んでできる面を、「基準面」と表現する。
また、この基準面は、図３に示すエアゾール製品の断面図において、点線Ｒ−Ｒ’にて示されている。
【００５９】
そして特に本実施例において、このシャワー式突出部５３及びジェット式突出部５１の詳細構成は、以下に説明するようになっている。尚、図５は、ジェット式突出部５１及びシャワー式突出部５３の断面の構成（図５（ａ））、ジェット式突出部５１上面（先端部分）の構成（図５（ｂ））、及び、シャワー式突出部５３上面（先端部分）の構成（図５（ｃ））を示した説明図である。
【００６０】
まず、ジェット式突出部５１は、管状に形成されており、内部に突出部本体５５の下側の表面から先端に繋がる流路５７を備えている。また、このジェット式突出部５１は、先端部に、単一の吐出口５１ａを備えており（図５（ｂ）参照）、ステムアタッチメント２０内部の空洞２１から流路５７を通じて送出されてくる薬剤１１を、この吐出口５１ａより直線状、即ちジェット状に噴射する。
【００６１】
また、このジェット式突出部５１は、その先端が、基準面から、３ｍｍ〜１４ｍｍ（本実施例では、特に３ｍｍ〜７ｍｍ）に位置するように、設定されている。つまり、ジェット式突出部５１は、先端を結ぶ面（図３の点線Ｌ１−Ｌ１’）が、基準面（図３の点線Ｒ−Ｒ’）から上記所定距離だけ離れるように構成されている。
【００６２】
これは、ジェット式突出部５１の吐出口５１ａが、頭皮に当接されるマッサージ用突出部３１，３１’の先端から離れすぎている（つまり、吐出口５１ａの基準面からの距離が上述の１４ｍｍを越えるものである）と、吐出口５１ａから頭皮までの距離が長くなるために、薬剤１１が頭髪等に阻害されて、頭皮に効率的に当たらず、一方、ジェット式突出部５１の吐出口５１ａが、頭皮に当接されるマッサージ用突出部３１，３１’の先端から近すぎる（つまり、吐出口５１ａの基準面からの距離が上述の３ｍｍ未満である）と、吐出口５１ａから頭皮までの距離が短すぎて、頭皮で、薬剤１１の吐出が阻害されてしまう可能性があるからである。
【００６３】
特に、頭皮からの吐出口５１ａまでの距離が短すぎると、利用者の頭部の形状によって、吐出口５１ａの一部が頭皮で閉塞されてしまい、利用者が、薬剤１１を効率よく塗布することができなくなってしまうから、このようにジェット式突出部５１の高さを設定する必要がある。
【００６４】
また、本実施例では特に、このジェット式突出部５１にて薬剤１１を単一の吐出口５１ａから勢いよく噴射（吐出）することにより、この噴射力で頭皮に刺激を与えつつ、頭皮（毛根）の奥にまで、薬剤１１が効率よくしみ込むようにするため、ジェット式突出部５１を、先端が基準面から３ｍｍ〜７ｍｍに位置するように構成している。
【００６５】
これは、ジェット式突出部５１の先端が基準面から７ｍｍより高く１４ｍｍより低い位置にあると、吐出口５１ａと、頭皮との間の距離が広くなって、吐出口５１ａから頭皮に薬剤１１が至るまでに薬剤１１の噴射力（流速）が弱くなってしまい、結果、薬剤１１を勢いよく頭皮に噴出することによって得られる頭皮への育毛効果（薬剤の頭皮への浸透）及びマッサージ効果（頭皮への適度な刺激）が半減してしまうからである。
【００６６】
次に、シャワー式突出部５３の夫々は、薬剤１１をステムアタッチメント２０内部の空洞２１からシャワー式突出部５３の先端へ導くための流路５７を、内部に備えている。また、シャワー式突出部５３は、先端部に、複数の吐出口５３ａ（図５（ｃ）参照）を備えており、ステムアタッチメント２０内部の空洞２１から流路５７を通じて送出されてくる薬剤１１を、この複数の吐出口５３ａより分散して、シャワー状に吐出する。尚、ここでシャワー状とは、薬剤１１が分散して噴出される状態を示しており、例えば、シャワー式突出部５３は、薬剤１１を霧吹きのように霧状に噴出するものであってもよい。
【００６７】
また更に、このシャワー式突出部５３は、上述のように先端が基準面から３ｍｍ〜１４ｍｍ（本実施例では特に、６ｍｍ〜１４ｍｍ）離れた面（図３における点線Ｌ２−Ｌ２’）に接するように形成されている。これは、頭皮に当接されるマッサージ用突出部３１，３１’の先端からシャワー式突出部５３の吐出口までの長さが３ｍｍ未満及び１４ｍｍを越えるものであると、上述のジェット式突出部５１と同様の問題が生じるからである。
【００６８】
尚、本実施例においては、シャワー式突出部５３の先端が基準面から６ｍｍ〜１４ｍｍに位置するようにされているが、これは、薬剤１１を分散して吐出するシャワー式突出部５３の機能を十分に発揮させるためである。
つまり、シャワー式突出部５３の先端が、基準面から６ｍｍより低い位置に配置されると、頭皮から吐出口５３ａまでの距離が短すぎるために、シャワー状に吐出される薬剤１１が十分に広がって頭皮に塗布されなくなってしまう一方で、本実施例のように、シャワー式突出部５３の先端が基準面から６ｍｍ〜１４ｍｍの範囲に位置していると、吐出口５３ａから噴射されるシャワー状の薬剤１１が適度に広がって頭皮に塗布されるので、利用者は、薬剤１１を頭皮にまんべんなく一様に塗布することができる。
【００６９】
また特に、ジェット式突出部５１及びシャワー式突出部５３の高さが上述のようにして夫々適正に設定されていると、異なる噴射方式の突出部５１，５３の夫々の機能が相乗的に発揮されるため、エアゾール製品１は、育毛効果、マッサージ効果をより一層発揮することができる。
【００７０】
尚、以上には説明しなかったが、上記ジェット式突出部５１及びシャワー式突出部５３の先端に形成された吐出口の口径は、０．０１〜０．３ｍｍに設定されているのが好ましい。
また、このジェット式突出部５１及びシャワー式突出部５３は、本実施例のように、異なる半径の複数の同心円状に配列されていることが好ましく、ステムアタッチメント２０の中心に形成されていないことが好ましい。なぜなら、ステム１３がステムアタッチメント２０の中心軸上に配置されているため、ジェット式突出部５１、シャワー式突出部５３が中心に配置されていると、その中心に位置する突出部から、集中して薬剤１１が吐出されてしまうからである。換言すると、中心以外の位置にジェット式突出部５１、シャワー式突出部５３を配置すれば、上記問題が解決でき、これらのジェット式突出部５１及びシャワー式突出部５３から一様に薬剤１１を吐出させることができる。
【００７１】
この他、ジェット式突出部５１及びシャワー式突出部５３を含む塗布用突出部形成部材５０を構成する材料としては、ポリオキシメチレン（ＰＯＭ）の他、ポリエチレン、ポリプロピレン等が挙げられる。特に、ポリオキシメチレンを用いると、塗布用突出部形成部材５０を精密に成形することが可能である。
【００７２】
以上、ステムアタッチメント２０について説明したが、このステムアタッチメント２０の横方向の幅（即ち、ステム１３の作動方向とは直交する方向の幅）は、エアゾール容器１０の同一方向の幅の８０％〜１２０％に設定されている。これは、幅が１２０％以上であると、ステム１３にステムアタッチメント２０が取り付けられた際に、ステムアタッチメント２０が左右方向（横方向）に揺動しやすくなる一方で、幅が８０％以下であると、ステムアタッチメント２０の本体表面の面積が小さくなり、マッサージ用突出部３１，３１’、ジェット式突出部５１、及びシャワー式突出部５３があまり設けられなくなるためである。また更に、ステムアタッチメント２０の幅を広くしすぎると、エアゾール製品１を縦置きする際に、上部がステムアタッチメント２０の重みで不安定になったり、エアゾール製品１の保管、運搬や、店頭で陳列など際に場所を取るなどの問題も発生する。
【００７３】
換言すると、本実施例のようにステムアタッチメント２０の幅が設定されている場合、エアゾール製品１は、ステムアタッチメント２０がエアゾール容器１０に対して左右に揺動するのを抑制でき、しかも、事業者は、エアゾール製品１の運搬、保管、陳列等を効率よく行うことができる。特に、ステムアタッチメント２０の幅がエアゾール容器１０の幅の９０％〜１１０％以内に抑えられていると、エアゾール製品１は、より一層上述の効果を発揮することができる。
【００７４】
この他、上記塗布用突出部形成部材５０以外のステムアタッチメント２０の各部位は、耐久性、薬剤耐腐食性等を考慮に入れると、ポリエチレン、ポリプロピレン、などのポリオレフィン系樹脂で形成されていることが好ましい。
また、このステムアタッチメント２０をエアゾール容器１０に取り付けた本実施例のエアゾール製品１は、マッサージ用突出部３１，３１’の先端部が球面（基準面）に沿って配列された構成とされてるため、利用者は、マッサージ用突出部３１，３１’を一様に頭皮に当接させて、効率よく頭部をマッサージすることができ、同時に、簡単な操作で、薬剤１１をジェット式突出部５１及びシャワー式突出部５３にて頭皮全体に一様に塗布することができて、この操作により頭部の育毛、養毛を効果的に促進させることができる。
【００７５】
また、上述のようにステムアタッチメント２０は、エアゾール容器１０に着脱自在にされているから、例えば、エアゾール容器１０の内容物（即ち、薬剤１１）がなくなってしまった際には、利用者は、ステムアタッチメント２０だけを簡単に取り外して、これを、薬剤１１が充填された新しいエアゾール容器１０に付け替えることができる。また、利用者は、ステムアタッチメント２０を取り外して、これを容易に洗浄することができるから、本実施例のエアゾール製品１は、衛生面の点においても有効である。
【００７６】
更に、利用者は、薬剤塗布後に、上述のようにしてエアゾール容器１０から取り外されたステムアタッチメント２０をマッサージ器として使用すれば、薬剤１１が充填された重いエアゾール容器１０を持たなくても、マッサージ用突出部３１，３１’を頭皮に当接させて、簡便に頭皮をマッサージすることができる。
【００７７】
尚、ステムアタッチメント２０をエアゾール容器１０から取り外すだけであると、本体内部の空洞２１に残った薬剤１１がステム取付部４１から漏れ落ちてくるから、本実施例では、このステムアタッチメント２０のステム取付部４１に水密に嵌着可能な図６に示す蓋体６０を備えている。ここで、図６は、この蓋体６０の構成を表す説明図であり、図６（ａ）は、蓋体６０の概略側面図、図６（ｂ）は、蓋体６０の概略断面図である。
【００７８】
図６に示すように、この蓋体６０は、主に、ステムアタッチメント２０のステム取付部４１に螺合されてステムアタッチメント２０と水密に固着される蓋体螺子部６１と、利用者が蓋体６０を介してステムアタッチメント２０を容易に把持可能とするための蓋体把持部６３と、蓋体螺子部６１と蓋体把持部６３との間に設けられ、この蓋体螺子部６１と蓋体把持部６３とを伸縮自在に連結する蓋体接続部６５と、から構成されている。
【００７９】
詳述すると、この蓋体螺子部６１は、ステム取付部４１より小径に形成された円筒部材の外面に螺子山が形成された構成になっている。
そして、この蓋体螺子部６１と接続された蓋体接続部６５は、円筒部材に折り目が設けられ、蛇腹状に形成された構造となっており、この円筒部材の中心軸方向に沿って自在に伸縮可能にされている。
【００８０】
また、蓋体把持部６３は、概略円盤状に形成されており、蓋体接続部６５に蓋体螺子部６１とは反対側で接続されている。つまり、このような蓋体把持部６３を備えることにより、蓋体６０は、利用者が蓋体把持部６３を把持して、蓋体接続部６５の中心軸方向への伸縮操作を簡単に行えるような操作性の良い構成となっている。
【００８１】
したがって、利用者は、薬剤塗布を終えた後に、ステム１３から取り外されたステムアタッチメント２０のステム取付部４１に、このような構成の蓋体６０を螺合して取り付け、このステムアタッチメント２０上側を頭皮に当てると、マッサージ用突出部３１，３１’にて頭皮をマッサージしつつ、蓋体把持部６３を持って蓋体接続部６５を伸縮させながら、空気を吐出口５１ａ，５３ａから排出させて、頭皮に適度な刺激を与えることができ、簡単で効率よく頭部の育毛、養毛操作を行うことができる。
【００８２】
また、蓋体６０は、ステムアタッチメント２０のステム取付部４１を水密に閉塞することができるため、この蓋体６０を使用することによって、利用者は、ステムアタッチメント２０の本体内部の空洞２１に残った薬剤１１が手元に漏れ落ちる心配をすることなく、頭皮のマッサージを行うことができる。
【００８３】
以上、蓋体６０の構成について説明したが、本実施例のエアゾール製品１は、この他、ステムアタッチメント２０の上側を被覆するキャップ７０を備えている。尚、図７は、このキャップ７０の構成を表す説明図であり、図７（ａ）は、ステムアタッチメント２０にキャップ７０が嵌合される前の態様を示す側面図、図７（ｂ）は、ステムアタッチメント２０にキャップ７０が嵌合された態様を示す側面図である。図７においてキャップ７０の内面は、点線にて表されている。
【００８４】
このキャップ７０は、円筒部材の上端が閉塞された構造となっており、ステムアタッチメントの側面に圧着されるように、内径が、ステムアタッチメントの外径と同程度となるように設定されている。
このようなキャップ７０をエアゾール製品１に備えることにより、利用者は、エアゾール製品１の使用後、ステムアタッチメント２０の上部にキャップ７０を嵌合させて、ジェット式突出部５１及びシャワー式突出部５３を上部から覆うことができる。したがって、利用者は、吐出口５１ａ，５３ａに付着した薬剤１１が、衣服などに付く心配をすることなく、エアゾール製品１を簡便に保管できる。
【００８５】
以上、本発明の実施例について説明したが、本発明のエアゾール製品１は、主に、頭皮をマッサージしつつ、塗布剤を有効に頭皮に塗布するためにマッサージ用突出部及び塗布用突出部の高さ等を好適に設定したものであるので、この要旨に反しない限り、上記実施例に限定されるものではなく、種々の態様を採ることができる。
【００８６】
例えば、上記実施例におけるステムアタッチメント２０の形状は、円形でなくてもよく、楕円形又は略楕円形、四角形、菱形、三角形又は略三角形等でも良い。
また、塗布用突出部形成部材５０は、必ずしもシャワー式突出部５３及びジェット式突出部５１で構成しなければならないというものではない。
【００８９】
また、エアゾール製品１のシャワー式突出部５３及びジェット式突出部５１は、その先端が、基準面から所定間隔離れた面（図３に示す点線Ｌ１−Ｌ１’及び点線Ｌ２−Ｌ２’）に接するように構成されているが、シャワー式突出部５３及びジェット式突出部５１は、基準面から３ｍｍ〜１４ｍｍの範囲内に先端が位置するように形成されていれば、必ずしも、このような面に接するように構成されている必要はなく、夫々の突出部の高さがバラバラとされた状態で形成されていても構わない。
【００９０】
この他、上記実施例において、ステムアタッチメント２０の上面に、マッサージ用突出部３１，３１’に加えて、マッサージ用のブラシ毛を複数箇所に植設すると、エアゾール製品１のマッサージ効果を一層高めることができる。
【図面の簡単な説明】
【図１】エアゾール製品１の構成を表す概略斜視図である。
【図２】エアゾール製品１を分解して表した概略分解側面図である。
【図３】エアゾール製品１の断面の構成を表す概略断面図である。
【図４】ステムアタッチメント２０の構成を表す説明図である。
【図５】ジェット式突出部５１及びシャワー式突出部５３の構成を表す説明図である。
【図６】蓋体６０の構成を表す説明図である。
【図７】キャップ７０の構成を表す説明図である。
【符号の説明】
１…エアゾール製品    １０…エアゾール容器    １１…薬剤
１３…ステム    １５…マウンティングカップ
１５ａ…窪部    １７…バルブ    １９…内袋    ２０…ステムアタッチメント
２１…空洞    ３０…アタッチメント上方部材    ３１…マッサージ用突出部
３３，４７…係止部    ３５…貫通孔    ４０…アタッチメント下方部材
４１…ステム取付部    ４２…本体支持部    ４３…溝部    ４５…流入孔
５０…塗布用突出部形成部材    ５１…ジェット式突出部
５１ａ，５３ａ…吐出口    ５３…シャワー式突出部    ５５…突出部本体
５７…流路    ６０…蓋体    ６１…蓋体螺子部    ６３…蓋体把持部
６５…蓋体接続部    ７０…キャップ
【図１】
0004573465.tif 000002
【図２】
0004573465.tif 000003
【図３】
0004573465.tif 000004
【図４】
0004573465.tif 000005
【図５】
0004573465.tif 000006
【図６】
0004573465.tif 000007
【図７】
0004573465.tif 000008